(57)【要約】【課題】テンプレートの大きさと記録用紙の大きさとが一致しない場合に、テンプレートから生成した合成画像が記録用紙にどのように割り付けられるかがユーザに分かりにくいという不具合がある。【解決手段】割付画像を割り付ける画像枠が設定されたレイアウト画像用のテンプレートを表示する画像表示装置であって、レイアウト画像を割り付ける用紙の大きさを取得する用紙取得部と、テンプレートの大きさに対する、用紙取得部により取得された用紙の大きさを示す外形線を、テンプレートに重ねて参照画像領域に表示する参照画像表示部とを備える。【選択図】図５
2007086826.tif 000002
【特許請求の範囲】
【請求項１】
画像を割り付ける画像枠が設定された画像割付用のテンプレートを示す画像を表示する画像表示装置であって、
画像を割り付ける用紙の大きさを取得する用紙取得部と、
前記テンプレートの選択中に前記テンプレートの大きさに対する、前記用紙取得部により取得された前記用紙の大きさを示すマークを、前記テンプレートを示す画像に重ねて参照画像領域に表示する参照画像表示部と
を備える画像表示装置。
【請求項２】
前記テンプレートを前記テンプレートの大きさを示す情報に対応付けて複数、格納するテンプレート格納部と、
前記テンプレート格納部に格納された前記複数のテンプレートに対応するサムネイル画像を、前記参照画像領域とは異なる一覧表示領域に表示するサムネイル表示部と
をさらに備え、
参照画像表示部は、前記サムネイル表示部により前記一覧表示領域に表示された前記複数のサムネイル画像のうちの一のサムネイル画像が選択された場合に、選択されたサムネイル画像に対応するテンプレートを示す画像を前記参照画像領域に表示する請求項１に記載の画像表示装置。
【請求項３】
前記参照画像表示部は、複数の前記マークと重ねたテンプレートを示す画像を一覧表示し、該一覧表示からテンプレートを選択させる請求項１に記載の画像表示装置。
【請求項４】
前記参照画像表示部は、
前記テンプレートの大きさが前記用紙の大きさよりも大きい場合に、前記テンプレートを示す画像を前記参照画像領域内の表示枠全体に表示し、
前記テンプレートの大きさが前記用紙の大きさよりも小さい場合に、前記マークの示す用紙の大きさが前記参照画像領域内の前記表示枠全体に相当するように表示する請求項１に記載の画像表示装置。
【請求項５】
前記用紙取得部は、前記参照画像表示部が前記マークおよびテンプレートを示す画像を表示している状態において、前記用紙の大きさの変更を受け付け、
前記用紙取得部が前記用紙の大きさの変更を受け付けた場合に、前記参照画像表示部は、前記変更に基づいて前記参照画像領域に表示された前記マークを変更する請求項１に記載の画像表示装置。
【請求項６】
前記参照画像表示部は、前記マークとして、前記テンプレートを示す画像と異なる色柄を用いて用紙の外形線を表示する請求項１に記載の画像表示装置。
【請求項７】
画像を割り付ける画像枠が設定された画像割付用のテンプレートを示す画像を表示する画像表示方法であって、
画像を割り付ける用紙の大きさを取得する手順と、
前記テンプレートの選択中に前記テンプレートの大きさに対する、前記用紙の大きさを示すマークを、前記テンプレートを示す画像に重ねて参照画像領域に表示する手順と
を備える画像表示装置。
【請求項８】
画像を割り付ける画像枠が設定された画像割付用のテンプレートを示す画像を表示する画像表示装置を制御するプログラムであって、
画像を割り付ける用紙の大きさを取得する用紙取得機能、および、
前記テンプレートの選択中に前記テンプレートの大きさに対する、前記用紙取得機能により取得された前記用紙の大きさを示すマークを、前記テンプレートを示す画像に重ねて参照画像領域に表示する参照画像表示機能
を実現させるプログラム。
【発明の詳細な説明】
【技術分野】
【０００１】
本発明は、画像表示装置、画像表示方法およびプログラムに関する。本発明は、特に、割付画像を割り付ける画像枠が設定されたレイアウト画像用のテンプレートを表示する画像表示装置、画像表示方法およびプログラムに関する。
【背景技術】
【０００２】
従来、画像を記録用紙に嵌め込んだ合成画像を生成する場合に、予め画像が嵌め込まれるコマが設定されたテンプレートを用いることが知られている（例えば、特許文献１を参照）。特許文献１において、テンプレートには当該テンプレートの大きさが文字で示される。
【特許文献１】特開２００１−３３３２７０号公報
【発明の開示】
【発明が解決しようとする課題】
【０００３】
しかしながら、テンプレートは仮想的なページであり、このテンプレートの大きさとプリンタ等の記録装置に用いられる記録用紙の大きさとが一致するとは限らない。これらが一致しない場合に、テンプレートから生成した合成画像が記録用紙にどのように割り付けられるかがユーザに分かりにくい、という不具合がある。また、合成画像の生成後に記録用紙への割り付けを確認してこれに納得いかない場合に、ユーザは改めてテンプレートを選択して、当該テンプレートに画像を嵌め込んで合成画像を生成し、再度、記録用紙への割り付けを確認するという手間がかかる。
【課題を解決するための手段】
【０００４】
上記課題を解決するために、本発明の第１の形態においては、画像を割り付ける画像枠が設定された画像割付用のテンプレートを示す画像を表示する画像表示装置であって、画像を割り付ける用紙の大きさを取得する用紙取得部と、テンプレートの選択中にテンプレートの大きさに対する、用紙取得部により取得された用紙の大きさを示すマークを、テンプレートを示す画像に重ねて参照画像領域に表示する参照画像表示部とを備える。これにより、画像割付用のテンプレートの大きさと、当該テンプレートを割り付ける用紙の大きさとの関係を、レイアウト画像の作成に先立ってテンプレートでユーザに提示することができる。
【０００５】
上記画像表示装置は、テンプレートをテンプレートの大きさを示す情報に対応付けて複数、格納するテンプレート格納部と、テンプレート格納部に格納された複数のテンプレートに対応するサムネイル画像を、参照画像領域とは異なる一覧表示領域に表示するサムネイル表示部とをさらに備え、参照画像表示部は、サムネイル表示部により一覧表示領域に表示された複数のサムネイル画像のうちの一のサムネイル画像が選択された場合に、選択されたサムネイル画像に対応するテンプレートを示す画像を参照画像領域に表示してもよい。これにより、ユーザに複数のテンプレートを順次、用紙の大きさと比較させることができる。また、参照画像表示部は、複数のマークと重ねたテンプレートを示す画像を一覧表示し、該一覧表示からテンプレートを選択させてもよい。これにより、ユーザに複数のテンプレートと用紙の大きさと比較させた結果を表示することができる。
【０００６】
上記画像表示装置において、参照画像表示部は、テンプレートの大きさが用紙の大きさよりも大きい場合に、テンプレートを示す画像を参照画像領域内の表示枠全体に表示し、テンプレートの大きさが用紙の大きさよりも小さい場合に、マークの示す用紙の大きさが参照画像領域内の表示枠全体に相当するように表示してもよい。これにより、参照画像領域においてより大きく画像を表示することができる。
【０００７】
上記画像表示装置において、用紙取得部は、参照画像表示部がマークおよびテンプレートを示す画像を表示している状態において、用紙の大きさの変更を受け付け、用紙取得部が用紙の大きさの変更を受け付けた場合に、参照画像表示部は、変更に基づいて参照画像領域に表示されたマークを変更してもよい、これにより、変更後の大きさを簡単に比較することができる。
【０００８】
上記画像表示装置において、参照画像表示部は、マークとして、テンプレートを示す画像と異なる色柄を用いて用紙の外形線を表示してもよい。これにより、用紙の外形線とテンプレートとを容易に区別できるようにユーザに提示することができる。
【０００９】
本発明の第２の形態によると、画像を割り付ける画像枠が設定された画像割付用のテンプレートを示す画像を表示する画像表示方法であって、画像を割り付ける用紙の大きさを取得する手順と、テンプレートの選択中にテンプレートの大きさに対する、用紙の大きさを示すマークを、テンプレートを示す画像に重ねて参照画像領域に表示する手順とを備える。これにより、第１の形態と同様の効果を得ることができる。
【００１０】
本発明の第３の形態によると、  画像を割り付ける画像枠が設定された画像割付用のテンプレートを示す画像を表示する画像表示装置を制御するプログラムであって、画像を割り付ける用紙の大きさを取得する用紙取得機能、および、テンプレートの選択中にテンプレートの大きさに対する、用紙取得機能により取得された用紙の大きさを示すマークを、テンプレートを示す画像に重ねて参照画像領域に表示する参照画像表示機能を実現させる。これにより、第１の形態と同様の効果を得ることができる。
【００１１】
なお、上記の発明の概要は、本発明の必要な特徴の全てを列挙したものではなく、これらの特徴群のサブコンビネーションもまた、発明となりうる。
【発明を実施するための最良の形態】
【００１２】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１３】
図１は、画像表示装置１０の一例を示す。画像表示装置１０は、画像表示装置１０を制御するプログラムを実行する本体１２を備える。画像表示装置１０は、表示画面を有しユーザに対して本体１２からの出力に基づいて表示画面上に表示をするディスプレイ１４と、本体１２からの出力に基づく印刷をするプリンタ２４と、ユーザから本体１２に対する入力手段の一例としてのキーボード１６、および、マウス１８とを備える。デジタルカメラ２０、および、スキャナ２２は、画像情報を読み込む手段の一例として、本体１２と接続される。
【００１４】
図２は、本体１２の機能ブロックを示す。本体１２は、デジタルカメラ２０、スキャナ２２およびプリンタ２４から取得した画像情報を格納する画像格納部１００と、サムネイル画像を一覧表示するブラウズ処理部２００と、レイアウト画像３１８を生成するレイアウト処理部３００と、レイアウト画像３１８を格納するレイアウト格納部４００と、レイアウト画像３１８に基づいて印刷情報を生成しプリンタ２４に出力するプリント処理部５００とを備える。
【００１５】
図３は、ディスプレイ１４の表示画面上に表示されるメインウィンドウ５０の一例を模式的に示す。本体１２は、画像表示装置１０を制御するプログラムが起動された場合、メインウィンドウ５０をディスプレイ１４の表示画面に表示する。メインウィンドウ５０は、ブラウズ処理に関するブラウズ処理領域５２、レイアウト処理に関するレイアウト処理領域５４、および、プリント処理に関するプリント処理領域５６を有する。
【００１６】
ブラウズ処理部２００は、画像格納部１００に格納された画像に基づくサムネイル画像をブラウズ処理領域５２に一覧表示する。また、レイアウト処理部３００は、レイアウト処理領域５４において、ブラウズ処理領域５２に一覧表示されたサムネイル画像に基づく割付画像１０２を、仮想のページの画像枠３１４に貼り付けたレイアウト画像３１８を生成してレイアウト処理領域５４に表示すると共に、レイアウト格納部４００に格納する。さらに、プリント処理部５００は、レイアウト格納部４００に格納されたレイアウト画像３１８をプリント処理に用いられる用紙に割り付けた印刷情報を生成してプリント処理領域５６に表示すると共に、プリンタ２４に出力して印刷する。
【００１７】
ここで、レイアウト処理部３００は、画像割付用のテンプレート画像３１２を用いるテンプレートモードと、指定された数の割付画像１０２を均等に割り付けるマトリックスモードと、割付画像１０２を割り付ける位置、大きさおよび数を自由に設定できるフリーモードを有する。さらに、図３に示すようにテンプレートモードにおいて、レイアウト処理部３００は、レイアウト処理領域５４にテンプレート選択バー３１３、テンプレート画像３１２およびテンプレート画像３１２上の画像枠３１４を表示する。テンプレート選択バー３１３がユーザにより選択されたことを検知すると、レイアウト処理部３００は、ディスプレイ１４に後述するテンプレート選択画面６０を表示する。
【００１８】
図４は、レイアウト処理部３００の機能ブロックを示し、図５は、レイアウト処理部３００により表示されるテンプレート選択画面６０の一例を示す。レイアウト処理部３００は、テンプレート画像３１２を格納するテンプレート格納部３１０と、用紙の大きさを外部から取得する用紙取得部３２０と、テンプレート画像３１２を外形線８０に重ねて参照画像領域７０に表示する参照画像表示部３３０と、テンプレート画像３１２のサムネイル画像３１６を一覧表示領域９０に表示するサムネイル表示部３４０とを有する。一覧表示領域９０は、サムネイル画像３１６の一覧を表示すべく広く表示され、一方、参照画像領域７０は所定の大きさで一覧表示領域９０とは異なる位置（図５において一覧表示領域９０よりも右上）に配される。
【００１９】
テンプレート格納部３１０は、割付画像１０２を割り付ける画像枠３１４を仮想のページに設定したテンプレート画像３１２を複数、格納する。この場合にテンプレート格納部３１０は、テンプレート画像３１２を識別するテンプレートＩＤおよび仮想のページの大きさであるテンプレートサイズに対応付けてテンプレート画像を格納する。テンプレートサイズの一例は、Ａ版（Ａ３、Ａ４等）、Ｂ版、ハガキ、リーガルサイズ等である。
【００２０】
用紙取得部３２０は、プリント処理に用いられる用紙の大きさをキーボード１６、マウス１８を介してユーザから、または、プリンタ２４から取得する。この用紙の大きさは、テンプレート画像３１２におけるテンプレートサイズとは独立して選ぶことができる。この場合に、図５に示すように、用紙取得部３２０は、テンプレート選択画面６０に用紙サイズ選択ボックス３２２を表示し、参照画像表示部３３０が外形線８０およびテンプレート画像３１２を表示している状態において、用紙サイズ選択ボックス３２２からキーボード１６、マウス１８を介して用紙の大きさの変更を受け付けてもよい。用紙サイズ選択ボックス３２２で選択する用紙の大きさの一例は、Ａ版（Ａ３、Ａ４等）、Ｂ版、ハガキ、リーガルサイズ等である。
【００２１】
サムネイル表示部３４０は、テンプレート格納部３１０に格納されているテンプレート画像３１２のサムネイル画像３１６を生成し、一覧表示領域９０に一覧表示する。これにより、テンプレート格納部３１０に用意されているテンプレート画像３１２を一瞥することができる。また、サムネイル表示部３４０は、一覧表示領域９０に一覧表示されたサムネイル画像３１６の選択の入力をキーボード１６、マウス１８を介して受け付けて、選択されたサムネイル画像３１６のテンプレートＩＤを用紙取得部３２０に受け渡す。
【００２２】
参照画像表示部３３０は、テンプレート画像３１２の大きさに対する、用紙取得部３２０により取得された用紙の大きさを示す外形線８０を、テンプレート画像３１２に重ねて参照画像領域７０の表示枠７２に表示する。この場合に、参照画像表示部３３０は、サムネイル表示部３４０から受け取ったテンプレートＩＤにより識別されるテンプレート画像３１２のテンプレート画像およびテンプレートサイズを読み出す。また、参照画像表示部３３０は、用紙取得部３２０により取得された用紙の大きさの情報を用紙取得部３２０から受け取る。これにより、参照画像表示部３３０は、テンプレートサイズに対する用紙の大きさを示す外形線８０をテンプレート画像３１２に重ねた合成画像を生成し、参照画像領域７０に表示する。この場合に、参照画像表示部３３０は、テンプレート画像３１２の中心と用紙の中心とが一致するように互いを重ねてもよい。
【００２３】
これにより、レイアウト画像３１８用のテンプレート画像３１２の大きさと、当該レイアウト画像３１８を割り付ける用紙の大きさとの関係を、レイアウト画像３１８の作成に先立ってテンプレート画像３１２でユーザに提示することができる。また、一覧表示を用いることにより、ユーザに複数のテンプレート画像３１２を順次、用紙の大きさと比較させることができる。
【００２４】
また、参照画像表示部３３０が外形線８０およびテンプレート画像３１２を表示している状態において、用紙取得部３２０が用紙の大きさの変更を受け付けた場合に、参照画像表示部３３０は、当該変更に基づいて参照画像領域７０に表示された用紙の大きさを示す外形線８０を変更してもよい。これにより、変更後の大きさを簡単に比較することができる。
【００２５】
上記参照画像表示部３３０は、用紙の大きさを示す外形線８０と、テンプレート画像３１２とを異なる色柄を用いて表示枠７２に表示してもよい。ここで色柄は、色、柄またはこれらの組み合わせを含む。また、柄には実線、太線、破線等の線種を含む。例えば、参照画像表示部３３０は、外形線８０を赤色の太線で、テンプレート画像３１２を黒色の実線で表示する。これにより、用紙の外形線８０とテンプレート画像３１２とを容易に区別できるようにユーザに提示することができる。
【００２６】
記憶媒体３０２は、本体１２を、上記テンプレート格納部３１０、用紙取得部３２０、参照画像表示部３３０およびサムネイル表示部３４０として機能させるプログラムを格納する。本体１２は記憶媒体３０２に格納された上記プログラムをインストールすることにより、上記機能を実現させてもよい。さらに、他の方法として、本体１２は、そのようなプログラムを、通信回線を介して取得してもよい。
【００２７】
図６は、レイアウト処理部３００により表示されるテンプレート選択画面６０内の参照画像領域７０の一例を示し、図７は、参照画像領域７０の他の例を示す。ここで、図６は、テンプレート画像３１２の大きさとしてＡ３が選択され、かつ、用紙の大きさとしてＡ４が選択された場合の例を示す。また、図７は、テンプレート画像３１２の大きさとしてＡ４が選択され、かつ、用紙の大きさとしてＡ３が選択された場合の例を示す。
【００２８】
図６および図７に示すように、レイアウト処理部３００は、参照画像領域７０内に所定の大きさの表示枠７２を有する。レイアウト処理部３００は、サムネイル表示部３４０から受け取ったテンプレートＩＤのテンプレートサイズと、用紙取得部３２０により取得された用紙の大きさとの大小を比較する。そして、図６に示すように、レイアウト処理部３００は、テンプレート画像３１２の大きさが用紙の大きさよりも大きい場合に、テンプレート画像３１２を表示枠７２の全体に表示する。一方、レイアウト処理部３００は、テンプレート画像３１２の大きさが用紙の大きさよりも小さい場合に、用紙の大きさを示す外形線８０を表示枠７２の全体に表示する。これにより、参照画像領域７０においてより大きく画像を表示することができる。なお、図６および図７においては、テンプレート画像３１２および用紙共に縦長としたが、これらの一方または両方を横長に選択できるようにしてもよい。この場合に、表示枠７２は横長に設定されてもよい。
【００２９】
図８は、レイアウト処理部３００により表示されるテンプレート選択画面６０の他の例を示す。図８において、図６および図７と同じ構成については同じ参照番号を付し、説明を省略する。図８に示す形態において、参照画像表示部３３０は、複数のテンプレート画像３１２の一覧を一覧表示領域９２に表示する。さらに、参照画像表示部３３０は、各々のテンプレート画像３１２に対して、プリント処理において現在選択されている用紙の大きさを示す外形線８２を重ねて、上記一覧表示領域９２に表示する。この一覧表示領域９２は、本発明における参照画像表示領域の一例である。なお、図８に示す形態において、一覧表示領域９２において、テンプレート画像３１２のいずれかが選択されていることを示すマーク、例えば色反転や枠等、を付すことにしてもよい。この場合に、参照画像領域７０を省略してもよい。
【００３０】
なお、上記実施形態において、参照画像表示部３３０は、外形線８０をマークの一例として表示するが、用紙の大きさを視覚的に認識できるマークであれば、外形線に限られない。他の例として、参照画像表示部３３０は、用紙の四隅の位置に四隅の位置であることを示すマークを表示してもよい。
【００３１】
以上、本実施形態によれば、レイアウト画像３１８用のテンプレート画像３１２の大きさと、当該レイアウト画像３１８を割り付ける用紙の大きさとの関係を、レイアウト画像３１８の作成に先立ってテンプレート画像３１２でユーザに提示することができる。
【００３２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００３３】
【図１】画像表示装置１０の一例を示す。
【図２】本体１２の機能ブロックを示す。
【図３】メインウィンドウ５０の一例を模式的に示す。
【図４】レイアウト処理部３００の機能ブロックを示す。
【図５】レイアウト処理部３００により表示されるテンプレート選択画面６０の一例を示す。
【図６】レイアウト処理部３００により表示される参照画像領域７０の一例を示す。
【図７】レイアウト処理部３００により表示される参照画像領域７０の他の例を示す。
【図８】レイアウト処理部３００により表示されるテンプレート選択画面６０の他の例を示す。
【符号の説明】
【００３４】
１０  画像表示装置、１２  本体、１４  ディスプレイ、１６  キーボード、１８  マウス、２０  デジタルカメラ、２２  スキャナ、２４  プリンタ、５０  メインウィンドウ、５２  ブラウズ処理領域、５４  レイアウト処理領域、５６  プリント処理領域、６０  テンプレート選択画面、７０  参照画像領域、７２  表示枠、８０  外形線、８２  外形線、９０  一覧表示領域、１００  画像格納部、１０２  割付画像、２００  ブラウズ処理部、３００  レイアウト処理部、３０２  記憶媒体、３１０  テンプレート格納部、３１２  テンプレート画像、３１３  テンプレート選択バー、３１４  画像枠、３１６  サムネイル画像、３１８  レイアウト画像、３２０  用紙取得部、３２２  用紙サイズ選択ボックス、３３０  参照画像表示部、３４０  サムネイル表示部、４００  レイアウト格納部、５００  プリント処理部
【図１】
2007086826.tif 000003
【図２】
2007086826.tif 000004
【図３】
2007086826.tif 000005
【図４】
2007086826.tif 000006
【図５】
2007086826.tif 000007
【図６】
2007086826.tif 000008
【図７】
2007086826.tif 000009
【図８】
2007086826.tif 000010